(57)【特許請求の範囲】
【請求項１】
コンピュータにより、エアリンクのリソース割振りのためのデフォルトパラメータを割り当てることによってワイヤレスワイドエリアネットワークのためのデバイスの集団をサービスすることと、
前記コンピュータにより、デバイスの前記集団のうちの第１のデバイスからマシンツーマシン（Ｍ２Ｍ）機能を示す第１のシグナリングメッセージを受信することと、
前記コンピュータにより、前記Ｍ２Ｍ機能に関連する第１の使用制約を判断することと、
前記コンピュータにより、前記第１の使用制約に準拠する、前記第１のデバイスのための前記エアリンクのリソース割振りのための調整パラメータを割り当てることと
を備える、ワイヤレス通信のための方法。
【請求項２】
前記第１の使用制約を判断することが、前記コンピュータにより、コアネットワークを介してホームネットワークからの加入データにアクセスすることをさらに備える、請求項１に記載の方法。
【請求項３】
前記第１の使用制約を判断することが、前記コンピュータにより、前記Ｍ２Ｍ機能に関連するモビリティ特性を判断することをさらに備える、請求項１に記載の方法。
【請求項４】
前記第１の使用制約を判断することが、前記コンピュータにより、前記Ｍ２Ｍ機能に関連する電力特性を判断することをさらに備える、請求項１に記載の方法。
【請求項５】
前記第１の使用制約を判断することが、前記コンピュータにより、前記Ｍ２Ｍ機能に関連する緊急度特性を判断することをさらに備える、請求項１に記載の方法。
【請求項６】
前記第１の使用制約を判断することが、前記コンピュータにより、前記Ｍ２Ｍ機能に関連するデータスループット特性を判断することをさらに備える、請求項１に記載の方法。
【請求項７】
前記調整パラメータを割り当てることが、前記コンピュータにより、前記第１の使用制約に関する周期的報告の頻度を割り当てることをさらに備える、請求項１に記載の方法。
【請求項８】
前記第１の使用制約に関する周期的報告の前記頻度を割り当てることが、前記コンピュータにより、不連続受信サイクルと不連続送信サイクルとのうちの選択された１つを調整することをさらに備える、請求項７に記載の方法。
【請求項９】
前記第１の使用制約に関する周期的報告の前記頻度を割り当てることが、前記コンピュータにより、不連続受信サイクルと不連続送信サイクルとを調整することをさらに備える、請求項７に記載の方法。
【請求項１０】
前記第１の使用制約を判断することが、前記コンピュータにより、前記Ｍ２Ｍ機能に関連する一方向データスループット特性を判断することをさらに備える、請求項１に記載の方法。
【請求項１１】
前記コンピュータにより、前記第１のデバイスから第２のシグナリングメッセージを受信することと、
前記コンピュータにより、前記第２のシグナリングメッセージに基づいて第２の使用制約を判断することと、
前記コンピュータにより、前記第２の使用制約に準拠する、前記第１のデバイスのための前記エアリンクのリソース割振りのための第２の調整パラメータを割り当てることと
をさらに備える、請求項１に記載の方法。
【請求項１２】
前記第２の使用制約を判断することは、前記コンピュータにより、前記第１のデバイスがＭ２Ｍ機能を中止したと判断することをさらに備える、請求項１１に記載の方法。
【請求項１３】
前記第２の使用制約を判断することは、前記コンピュータにより、前記第１のデバイスがＭ２Ｍ機能を有する少なくとも第１のアプリケーションと非Ｍ２Ｍ機能を有する少なくとも第２のアプリケーションとを有すると判断することをさらに備える、請求項１１に記載の方法。
【請求項１４】
デバイスの前記集団のうちの前記第１のデバイスからＭ２Ｍ機能を示す前記第１のシグナリングメッセージを受信することが、前記コンピュータにより、複数のインジケータを受信することをさらに備え、各インジケータが、前記第１のデバイスにおいて終端するネットワークベアラに対応する複数のサービスの各々の適用性を搬送する、請求項１に記載の方法。
【請求項１５】
デバイスの前記集団のうちの前記第１のデバイスからＭ２Ｍ機能を示す前記第１のシグナリングメッセージを受信することが、前記コンピュータにより、複数のインジケータを受信することをさらに備え、各インジケータが、前記第１のデバイスにおいて終端するネットワークベアラに対応するサービスのグループの適用性を搬送する、請求項１に記載の方法。
【請求項１６】
デバイスの前記集団のうちの前記第１のデバイスからＭ２Ｍ機能を示す前記第１のシグナリングメッセージを受信することが、前記コンピュータにより、複数のインジケータを受信することをさらに備え、各インジケータは、前記第１のデバイスのオブジェクトがＭ２Ｍオブジェクトであると見なされるべきかどうかを示すブールフラグである、請求項１に記載の方法。
【請求項１７】
前記オブジェクトが前記第１のデバイスに対応する、請求項１６に記載の方法。
【請求項１８】
前記オブジェクトがサービスに対応する、請求項１６に記載の方法。
【請求項１９】
前記オブジェクトがサービスのグループに対応する、請求項１６に記載の方法。
【請求項２０】
前記コンピュータにより、モビリティと、電力制限と、前記エアリンクのアップリンクおよびダウンリンクの固定使用とのうちの１つまたは複数を備える、前記Ｍ２Ｍ機能に関連する複数の使用制約を判断することと、
前記コンピュータにより、前記複数の使用制約に応答して、前記第１のデバイスが前記アップリンクおよび前記ダウンリンクをそれぞれ利用するためのスループットと間隔とを割り当てることと
をさらに備える、請求項１に記載の方法。
【請求項２１】
エアリンクのリソース割振りのためのデフォルトパラメータを割り当てることによってワイヤレスワイドエリアネットワークのためのデバイスの集団をサービスするための第１のモジュールと、
デバイスの前記集団のうちの第１のデバイスからマシンツーマシン（Ｍ２Ｍ）機能を示す第１のシグナリングメッセージを受信するための第２のモジュールと、
前記Ｍ２Ｍ機能に関連する第１の使用制約を判断するための第３のモジュールと、
前記第１の使用制約に準拠する、前記第１のデバイスのための前記エアリンクのリソース割振りのための調整パラメータを割り当てるための第４のモジュールと
を備える、ワイヤレス通信のための少なくとも１つのプロセッサ。
【請求項２２】
コンピュータに、エアリンクのリソース割振りのためのデフォルトパラメータを割り当てることによってワイヤレスワイドエリアネットワークのためのデバイスの集団をサービスさせるための第１のコードセットと、
前記コンピュータに、デバイスの前記集団のうちの第１のデバイスからマシンツーマシン（Ｍ２Ｍ）機能を示す第１のシグナリングメッセージを受信させるための第２のコードセットと、
前記コンピュータに、前記Ｍ２Ｍ機能に関連する第１の使用制約を判断させるための第３のコードセットと、
前記コンピュータに、前記第１の使用制約に準拠する、前記第１のデバイスのための前記エアリンクのリソース割振りのための調整パラメータを割り当てさせるための第４のコードセットと
を備える、ワイヤレス通信のためのコンピュータプログラム。
【請求項２３】
エアリンクのリソース割振りのためのデフォルトパラメータを割り当てることによってワイヤレスワイドエリアネットワークのためのデバイスの集団をサービスするための手段と、
デバイスの前記集団のうちの第１のデバイスからマシンツーマシン（Ｍ２Ｍ）機能を示す第１のシグナリングメッセージを受信するための手段と、
前記Ｍ２Ｍ機能に関連する第１の使用制約を判断するための手段と、
前記第１の使用制約に準拠する、前記第１のデバイスのための前記エアリンクのリソース割振りのための調整パラメータを割り当てるための手段と
を備える、ワイヤレス通信のための装置。
【請求項２４】
エアリンクのリソース割振りのためのデフォルトパラメータを割り当てることによってワイヤレスワイドエリアネットワークのためのデバイスの集団をサービスするためのスケジューラと、
デバイスの前記集団のうちの第１のデバイスからマシンツーマシン（Ｍ２Ｍ）機能を示す第１のシグナリングメッセージを受信するためのトランシーバと、
前記Ｍ２Ｍ機能に関連する第１の使用制約を判断するためのコンピューティングプラットフォームと、を備え、
前記スケジューラがさらに、前記第１の使用制約に準拠する、前記第１のデバイスのための前記エアリンクのリソース割振りのための調整パラメータを割り当てるためのものである、
ワイヤレス通信のための装置。
【請求項２５】
前記コンピューティングプラットフォームがさらに、コアネットワークを介してホームネットワークからの加入データにアクセスすることによって前記第１の使用制約を判断するためのものである、請求項２４に記載の装置。
【請求項２６】
前記コンピューティングプラットフォームがさらに、前記Ｍ２Ｍ機能に関連するモビリティ特性を判断することによって前記第１の使用制約を判断するためのものである、請求項２４に記載の装置。
【請求項２７】
前記コンピューティングプラットフォームがさらに、前記Ｍ２Ｍ機能に関連する電力特性を判断することによって前記第１の使用制約を判断するためのものである、請求項２４に記載の装置。
【請求項２８】
前記コンピューティングプラットフォームがさらに、前記Ｍ２Ｍ機能に関連する緊急度特性を判断することによって前記第１の使用制約を判断するためのものである、請求項２４に記載の装置。
【請求項２９】
前記コンピューティングプラットフォームがさらに、前記Ｍ２Ｍ機能に関連するデータスループット特性を判断することによって前記第１の使用制約を判断するためのものである、請求項２４に記載の装置。
【請求項３０】
前記スケジューラがさらに、前記第１の使用制約に関する周期的報告の頻度を割り当てることによって前記調整パラメータを割り当てるためのものである、請求項２４に記載の装置。
【請求項３１】
前記スケジューラがさらに、不連続受信サイクルと不連続送信サイクルとのうちの選択された１つを調整することによって、前記第１の使用制約に関する周期的報告の前記頻度を割り当てるためのものである、請求項３０に記載の装置。
【請求項３２】
前記スケジューラがさらに、不連続受信サイクルと不連続送信サイクルとを調整することによって、前記第１の使用制約に関する周期的報告の前記頻度を割り当てるためのものである、請求項３０に記載の装置。
【請求項３３】
前記コンピューティングプラットフォームがさらに、前記Ｍ２Ｍ機能に関連する一方向データスループット特性を判断することによって前記第１の使用制約を判断するためのものである、請求項２４に記載の装置。
【請求項３４】
前記トランシーバがさらに、前記第１のデバイスから第２のシグナリングメッセージを受信するためのものであり、
前記コンピューティングプラットフォームがさらに、前記第２のシグナリングメッセージに基づいて第２の使用制約を判断するためのものであり、
前記スケジューラがさらに、前記第２の使用制約に準拠する、前記第１のデバイスのための前記エアリンクのリソース割振りのための第２の調整パラメータを割り当てるためのものである、
請求項２４に記載の装置。
【請求項３５】
前記コンピューティングプラットフォームはさらに、前記第１のデバイスがＭ２Ｍ機能を中止したと判断することによって前記第２の使用制約を判断するためのものである、請求項３４に記載の装置。
【請求項３６】
前記コンピューティングプラットフォームはさらに、前記第１のデバイスがＭ２Ｍ機能を有する少なくとも第１のアプリケーションと非Ｍ２Ｍ機能を有する少なくとも第２のアプリケーションとを有すると判断することによって、前記第２の使用制約を判断するためのものである、請求項２４に記載の装置。
【請求項３７】
前記トランシーバがさらに、複数のインジケータを受信することによって、デバイスの前記集団のうちの前記第１のデバイスからＭ２Ｍ機能を示す前記第１のシグナリングメッセージを受信するためのものであり、各インジケータが、前記第１のデバイスにおいて終端するネットワークベアラに対応する複数のサービスの各々の適用性を搬送する、請求項２４に記載の装置。
【請求項３８】
前記トランシーバがさらに、複数のインジケータを受信することによって、デバイスの前記集団のうちの前記第１のデバイスからＭ２Ｍ機能を示す前記第１のシグナリングメッセージを受信するためのものであり、各インジケータが、前記第１のデバイスにおいて終端するネットワークベアラに対応するサービスのグループの適用性を搬送する、請求項２４に記載の装置。
【請求項３９】
前記トランシーバがさらに、複数のインジケータを受信することによって、デバイスの前記集団のうちの前記第１のデバイスからＭ２Ｍ機能を示す前記第１のシグナリングメッセージを受信するためのものであり、各インジケータは、前記第１のデバイスのオブジェクトがＭ２Ｍオブジェクトであると見なされるべきかどうかを示すブールフラグである、請求項２４に記載の装置。
【請求項４０】
前記オブジェクトが前記第１のデバイスに対応する、請求項３９に記載の装置。
【請求項４１】
前記オブジェクトがサービスに対応する、請求項３９に記載の装置。
【請求項４２】
前記オブジェクトがサービスのグループに対応する、請求項３９に記載の装置。
【請求項４３】
前記コンピューティングプラットフォームがさらに、モビリティと、電力制限と、前記エアリンクのアップリンクおよびダウンリンクの固定使用とのうちの１つまたは複数を備える、前記Ｍ２Ｍ機能に関連する複数の使用制約を判断するためのものであり、
前記スケジューラがさらに、前記複数の使用制約に応答して、前記第１のデバイスが前記アップリンクおよび前記ダウンリンクをそれぞれ利用するためのスループットと間隔とを割り当てるためのものである、
請求項２４に記載の装置。
【請求項４４】
コンピュータにより、エアリンクのリソース割振りのためのデフォルトパラメータを割り当てることによってワイヤレスワイドエリアネットワークのためのデバイスの集団をサービスするノードからサービスを取得することと、
前記コンピュータにより、マシンツーマシン（Ｍ２Ｍ）機能を示す第１のシグナリングメッセージを前記ノードに送信することと、
前記コンピュータにより、前記Ｍ２Ｍ機能に関連する第１の使用制約に準拠する、第１のデバイスのための前記エアリンクのリソース割振りのための調整パラメータの割当てを受信することと
を備える、ワイヤレス通信のための方法。
【請求項４５】
エアリンクのリソース割振りのためのデフォルトパラメータを割り当てることによってワイヤレスワイドエリアネットワークのためのデバイスの集団をサービスするノードからサービスを取得するための第１のモジュールと、
マシンツーマシン（Ｍ２Ｍ）機能を示す第１のシグナリングメッセージを前記ノードに送信するための第２のモジュールと、
前記Ｍ２Ｍ機能に関連する第１の使用制約に準拠する、第１のデバイスのための前記エアリンクのリソース割振りのための調整パラメータの割当てを受信するための第３のモジュールと
を備える、ワイヤレス通信のための少なくとも１つのプロセッサ。
【請求項４６】
コンピュータに、エアリンクのリソース割振りのためのデフォルトパラメータを割り当てることによってワイヤレスワイドエリアネットワークのためのデバイスの集団をサービスするノードからサービスを取得させるための第１のコードセットと、
前記コンピュータに、マシンツーマシン（Ｍ２Ｍ）機能を示す第１のシグナリングメッセージを前記ノードに送信させるための第２のコードセットと、
前記コンピュータに、前記Ｍ２Ｍ機能に関連する第１の使用制約に準拠する、第１のデバイスのための前記エアリンクのリソース割振りのための調整パラメータの割当てを受信させるための第３のコードセットと
を備える、ワイヤレス通信のためのコンピュータプログラム。
【請求項４７】
エアリンクのリソース割振りのためのデフォルトパラメータを割り当てることによってワイヤレスワイドエリアネットワークのためのデバイスの集団をサービスするノードからサービスを取得するための手段と、
マシンツーマシン（Ｍ２Ｍ）機能を示す第１のシグナリングメッセージを前記ノードに送信するための手段と、
前記Ｍ２Ｍ機能に関連する第１の使用制約に準拠する、第１のデバイスのための前記エアリンクのリソース割振りのための調整パラメータの割当てを受信するための手段と
を備える、ワイヤレス通信のための装置。
【請求項４８】
エアリンクのリソース割振りのためのデフォルトパラメータを割り当てることによってワイヤレスワイドエリアネットワークのためのデバイスの集団をサービスするノードからサービスを取得するためのトランシーバと、
前記トランシーバを介して、マシンツーマシン（Ｍ２Ｍ）機能を示す第１のシグナリングメッセージを前記ノードに送信するためのコンピューティングプラットフォームと、
を備え、
前記トランシーバがさらに、前記Ｍ２Ｍ機能に関連する第１の使用制約に準拠する、第１のデバイスのための前記エアリンクのリソース割振りのための調整パラメータの割当てを受信するためのものである、
ワイヤレス通信のための装置。
【請求項４９】
前記トランシーバがさらに、前記Ｍ２Ｍ機能に関連するモビリティ特性を示すことによって前記第１のシグナリングメッセージを送信するためのものである、請求項４８に記載の装置。
【請求項５０】
前記トランシーバがさらに、前記Ｍ２Ｍ機能に関連する電力特性を示すことによって前記第１のシグナリングメッセージを送信するためのものである、請求項４８に記載の装置。
【請求項５１】
前記コンピュータにより、前記第１のデバイスから長い不連続受信サイクルの要求を受信することをさらに含み、
前記Ｍ２Ｍ機能と関連する前記ネットワークビヘイビアは長い不連続受信サイクルを設定することを含む、請求項１に記載の方法。
【請求項５２】
前記緊急度特性は、前記第１のデバイスが低アクセス優先度に設定されることを示す低優先度インジケータを含む、請求項５に記載の方法。
【請求項５３】
前記緊急度特性は、前記第１のデバイスが遅延耐性であることのインジケーションを含む、請求項５に記載の方法。
【請求項５４】
前記レシーバは、さらに、前記第１のデバイスから長い不連続受信サイクルの要求を受信するためのものであり、
前記Ｍ２Ｍ機能と関連する前記ネットワークビヘイビアは長い不連続受信サイクルを設定することを含む、  請求項２４に記載の装置。
【請求項５５】
前記緊急度特性は、前記第１のデバイスが低アクセス優先度に設定されることを示す低優先度インジケータを含む、請求項２８に記載の装置。
【請求項５６】
前記緊急度特性は、前記第１のデバイスが遅延耐性であることのインジケーションを含む、請求項２８に記載の装置。
【請求項５７】
前記第１の使用制限に準拠する前記調整パラメータは、前記Ｍ２Ｍ機能に関連する緊急度特性に準拠する調整パラメータを含む、請求項４８に記載の装置。
【請求項５８】
前記緊急度特性は、前記第１のデバイスが低アクセス優先度に設定されることを示す低優先度インジケータを含む、請求項５７に記載の装置。
【請求項５９】
前記緊急度特性は、前記第１のデバイスが遅延耐性であることのインジケーションを含む、請求項５７に記載の装置。
【発明の詳細な説明】
【技術分野】
【０００１】
米国特許法第１１９条に基づく優先権の主張
本特許出願は、本出願の譲受人に譲渡され、参照により本明細書に明確に組み込まれる、２００９年９月２９日に出願された「Signaling Identification of Machine to Machine Devices and Services」と題する仮出願第６１／２４６，８３０号への優先権を主張する。
【０００２】
本開示のいくつかの態様は、一般にワイヤレス通信に関し、より詳細には、マシンツーマシンデバイスおよびサービスを識別するための技法に関する。
【背景技術】
【０００３】
ワイヤレス通信システムは、ボイス、データなど、様々なタイプの通信コンテンツを提供するために広く展開されている。これらのシステムは、利用可能なシステムリソース（たとえば、帯域幅および送信電力）を共有することによって複数のユーザとの通信をサポートすることが可能な多元接続システムであり得る。そのような多元接続システムの例には、符号分割多元接続（ＣＤＭＡ）システム、時分割多元接続（ＴＤＭＡ）システム、周波数分割多元接続（ＦＤＭＡ）システム、および直交周波数分割多元接続（ＯＦＤＭＡ）システムがある。
【０００４】
概して、ワイヤレス多元接続通信システムは、複数のワイヤレス端末のための通信を同時にサポートすることができる。各端末は、順方向リンクおよび逆方向リンク上での送信によって１つまたは複数の基地局と通信する。順方向リンク（またはダウンリンク）は基地局から端末への通信リンクを指し、逆方向リンク（またはアップリンク）は端末から基地局への通信リンクを指す。この通信リンクは、単入力単出力、多入力単出力または多入力多出力（ＭＩＭＯ）システムを介して確立され得る。
【０００５】
Ｕｎｉｖｅｒｓａｌ  Ｍｏｂｉｌｅ  Ｔｅｌｅｃｏｍｍｕｎｉｃａｔｉｏｎｓ  Ｓｙｓｔｅｍ（ＵＭＴＳ）は第３世代（３Ｇ）携帯電話技術の１つである。ＵＭＴＳ  Ｔｅｒｒｅｓｔｒｉａｌ  Ｒａｄｉｏ  Ａｃｃｅｓｓ  Ｎｅｔｗｏｒｋ、略してＵＴＲＡＮは、ＵＭＴＳ無線アクセスネットワークを構成するノードＢと無線ネットワークコントローラとの総称である。この通信ネットワークは、リアルタイム回線交換からＩＰベースパケット交換まで多くのトラフィックタイプを搬送することができる。ＵＴＲＡＮは、ＵＥ（ユーザ機器）とコアネットワークとの間の接続を可能にする。ＵＴＲＡＮは、ノードＢと呼ばれる基地局と無線ネットワークコントローラ（ＲＮＣ）とを含む。ＲＮＣは１つまたは複数のノードＢに制御機能を与える。典型的な実装形態は、複数のノードＢをサービスしている中央局に配置された別個のＲＮＣを有するが、ノードＢとＲＮＣは同じデバイスであり得る。ノードＢとＲＮＣとが物理的に分離される必要はないということにもかかわらず、それらの間には、Ｉｕｂとして知られる論理インターフェースがある。ＲＮＣおよびその対応するノードＢは、無線ネットワークサブシステム（ＲＮＳ）と呼ばれる。ＵＴＲＡＮには２つ以上のＲＮＳが存在する場合がある。
【０００６】
（ＩＭＴ  Ｍｕｌｔｉ  Ｃａｒｒｉｅｒ（ＩＭＴ  ＭＣ）としても知られる）ＣＤＭＡ２０００は、モバイルフォンとセルサイトとの間でボイス、データ、およびシグナリングデータを送るためにＣＤＭＡチャネルアクセスを使用する３Ｇモバイル技術規格のファミリーである。その規格のセットは、ＣＤＭＡ２０００  １Ｘと、ＣＤＭＡ２０００  ＥＶ−ＤＯ  Ｒｅｖ．０と、ＣＤＭＡ２０００  ＥＶ−ＤＯ  Ｒｅｖ．Ａと、ＣＤＭＡ２０００  ＥＶ−ＤＯ  Ｒｅｖ．Ｂとを含む。そのすべてが、ＩＴＵのＩＭＴ−２０００のための承認された無線インターフェースである。ＣＤＭＡ２０００は、比較的長い技術的歴史を有し、それの前の２ＧイタレーションＩＳ−９５（ｃｄｍａＯｎｅ）との後方互換性がある。
【０００７】
１ｘおよび１ｘＲＴＴとしても知られるＣＤＭＡ２０００  １Ｘ（ＩＳ−２０００）は、コアＣＤＭＡ２０００ワイヤレスエアインターフェース規格である。１倍の（1 times）Ｒａｄｉｏ  Ｔｒａｎｓｍｉｓｓｉｏｎ  Ｔｅｃｈｎｏｌｏｇｙを意味する「１ｘ」という記号は、ＩＳ−９５と同じＲＦ帯域幅、すなわち１．２５ＭＨｚ無線チャネルのデュプレックスペアを示す。１ｘＲＴＴは、６４個の元のセットに直交する（直角位相にある）６４個のさらなるトラフィックチャネルを順方向リンクに追加することによって、ＩＳ−９５の容量をほぼ２倍にする。１Ｘ規格は、最高１５３ｋｂｐｓのパケットデータ速度をサポートし、実世界のデータ送信は、大部分の商用アプリケーションでは平均して６０〜１００ｋｂｐｓである。また、ＩＭＴ−２０００は、媒体およびリンクアクセス制御プロトコルとサービス品質（ＱｏＳ）とを含む、データサービスのより大規模な使用のためのデータリンクレイヤへの変更を行った。ＩＳ−９５データリンクレイヤは、データのための「ベストエフォート配信」とボイスのための回線交換チャネル（すなわち、２０ｍｓごとに１回のボイスフレーム）を提供したのみであった。
【０００８】
しばしばＥＶ−ＤＯまたはＥＶと省略されるＣＤＭＡ２０００  １ｘＥＶ−ＤＯ（Ｅｖｏｌｕｔｉｏｎ−Ｄａｔａ  Ｏｐｔｉｍｉｚｅｄ）は、一般にブロードバンドインターネットアクセスのための、無線信号を介したデータのワイヤレス送信のための電気通信規格である。それは、個々のユーザのスループットと全体的なシステムスループットの両方を最大にするために、符号分割多元接続（ＣＤＭＡ）ならびに時分割多元接続（ＴＤＭＡ）を含む多重化技法を使用する。それは、ＣＤＭＡ２０００規格ファミリーの一部として３ｒｄ  Ｇｅｎｅｒａｔｉｏｎ  Ｐａｒｔｎｅｒｓｈｉｐ  Ｐｒｏｊｅｃｔ  ２（３ＧＰＰ２）によって規格化され、世界中の多くのモバイルフォンサービスプロバイダ、特にＣＤＭＡネットワークを前に採用したプロバイダによって採用されている。
【０００９】
３ＧＰＰ  ＬＴＥ（Ｌｏｎｇ  Ｔｅｒｍ  Ｅｖｏｌｕｔｉｏｎ）は、ＵＭＴＳ携帯電話規格を将来の要件に対処するように向上させるためのＴｈｉｒｄ  Ｇｅｎｅｒａｔｉｏｎ  Ｐａｒｔｎｅｒｓｈｉｐ  Ｐｒｏｊｅｃｔ（３ＧＰＰ）内のプロジェクトに付けられた名前である。目的は、効率性向上、コスト削減、サービス改善、新規のスペクトル機会（spectrum opportunity）の利用、および他のオープンスタンダードとの統合の改良を含む。ＬＴＥシステムは、Ｅｖｏｌｖｅｄ  ＵＴＲＡ（ＥＵＴＲＡ）およびＥｖｏｌｖｅｄ  ＵＴＲＡＮ（ＥＵＴＲＡＮ）規格シリーズに記載されている。
【発明の概要】
【００１０】
以下で、１つまたは複数の態様の基本的理解を与えるために、そのような態様の簡略化された概要を提示する。この概要は、すべての企図された態様の包括的な概観ではなく、すべての態様の主要または重要な要素を識別するものでも、いずれかまたはすべての態様の範囲を定めるものでもない。その唯一の目的は、後で提示するより詳細な説明の導入として、１つまたは複数の態様のいくつかの概念を簡略化された形で提示することである。
【００１１】
一態様では、ワイヤレス通信のための方法が提供される。ノードが、エアリンクのリソース割振りのためのデフォルトパラメータを割り当てることによってワイヤレスワイドエリアネットワークのためのデバイスの集団をサービスする。ノードは、デバイスの集団のうちの第１のデバイスからマシンツーマシン（Ｍ２Ｍ）機能を示す第１のシグナリングメッセージを受信する。ノードは、Ｍ２Ｍ機能に関連する第１の使用制約を判断する。ノードは、第１の使用制約に準拠する、第１のデバイスのためのエアリンクのリソース割振りのための調整パラメータを割り当てる。
【００１２】
別の態様では、ワイヤレス通信のための少なくとも１つのプロセッサが提供される。第１のモジュールが、エアリンクのリソース割振りのためのデフォルトパラメータを割り当てることによってワイヤレスワイドエリアネットワークのためのデバイスの集団をサービスする。第２のモジュールが、デバイスの集団のうちの第１のデバイスからマシンツーマシン（Ｍ２Ｍ）機能を示す第１のシグナリングメッセージを受信する。第３のモジュールが、Ｍ２Ｍ機能に関連する第１の使用制約を判断する。第４のモジュールが、第１の使用制約に準拠する、第１のデバイスのためのエアリンクのリソース割振りのための調整パラメータを割り当てる。
【００１３】
追加の態様では、ワイヤレス通信のためのコンピュータプログラム製品が提供される。非一時的コンピュータ可読媒体がコードセットを記憶する。第１のコードセットが、コンピュータに、エアリンクのリソース割振りのためのデフォルトパラメータを割り当てることによってワイヤレスワイドエリアネットワークのためのデバイスの集団をサービスさせる。第２のコードセットが、コンピュータに、デバイスの集団のうちの第１のデバイスからマシンツーマシン（Ｍ２Ｍ）機能を示す第１のシグナリングメッセージを受信させる。第３のコードセットが、コンピュータに、Ｍ２Ｍ機能に関連する第１の使用制約を判断させる。第４のコードセットが、コンピュータに、第１の使用制約に準拠する、第１のデバイスのためのエアリンクのリソース割振りのための調整パラメータを割り当てさせる。
【００１４】
別の追加の態様では、ワイヤレス通信のための装置が提供される。本装置は、エアリンクのリソース割振りのためのデフォルトパラメータを割り当てることによってワイヤレスワイドエリアネットワークのためのデバイスの集団をサービスするための手段を備える。本装置は、デバイスの集団のうちの第１のデバイスからマシンツーマシン（Ｍ２Ｍ）機能を示す第１のシグナリングメッセージを受信するための手段を備える。本装置は、Ｍ２Ｍ機能に関連する第１の使用制約を判断するための手段を備える。本装置は、第１の使用制約に準拠する、第１のデバイスのためのエアリンクのリソース割振りのための調整パラメータを割り当てるための手段を備える。
【００１５】
さらなる態様では、ワイヤレス通信のための装置が提供される。スケジューラが、エアリンクのリソース割振りのためのデフォルトパラメータを割り当てることによってワイヤレスワイドエリアネットワークのためのデバイスの集団をサービスする。トランシーバが、デバイスの集団のうちの第１のデバイスからマシンツーマシン（Ｍ２Ｍ）機能を示す第１のシグナリングメッセージを受信する。コンピューティングプラットフォームが、Ｍ２Ｍ機能に関連する第１の使用制約を判断する。スケジューラはさらに、第１の使用制約に準拠する、第１のデバイスのためのエアリンクのリソース割振りのための調整パラメータを割り当てる。
【００１６】
さらに別の態様では、ワイヤレス通信のための方法が提供される。第１のデバイスが、エアリンクのリソース割振りのためのデフォルトパラメータを割り当てることによってワイヤレスワイドエリアネットワークのためのデバイスの集団をサービスするノードからサービスを取得する。第１のデバイスは、マシンツーマシン（Ｍ２Ｍ）機能を示す第１のシグナリングメッセージをノードに送信する。第１のデバイスは、Ｍ２Ｍ機能に関連する第１の使用制約に準拠する、第１のデバイスのためのエアリンクのリソース割振りのための調整パラメータの割当てを受信する。
【００１７】
さらなる追加の態様では、ワイヤレス通信のための少なくとも１つのプロセッサが提供される。第１のモジュールが、エアリンクのリソース割振りのためのデフォルトパラメータを割り当てることによってワイヤレスワイドエリアネットワークのためのデバイスの集団をサービスするノードからサービスを取得する。第２のモジュールが、マシンツーマシン（Ｍ２Ｍ）機能を示す第１のシグナリングメッセージをノードに送信する。第３のモジュールが、Ｍ２Ｍ機能に関連する第１の使用制約に準拠する、第１のデバイスのためのエアリンクのリソース割振りのための調整パラメータの割当てを受信する。
【００１８】
またさらなる態様では、ワイヤレス通信のためのコンピュータプログラム製品が提供される。非一時的コンピュータ可読媒体がコードセットを記憶する。第１のコードセットが、コンピュータに、エアリンクのリソース割振りのためのデフォルトパラメータを割り当てることによってワイヤレスワイドエリアネットワークのためのデバイスの集団をサービスするノードからサービスを取得させる。第２のコードセットが、コンピュータに、マシンツーマシン（Ｍ２Ｍ）機能を示す第１のシグナリングメッセージをノードに送信させる。第３のコードセットが、コンピュータに、Ｍ２Ｍ機能に関連する第１の使用制約に準拠する、第１のデバイスのためのエアリンクのリソース割振りのための調整パラメータの割当てを受信させる。
【００１９】
別の態様では、ワイヤレス通信のための装置が提供される。本装置は、エアリンクのリソース割振りのためのデフォルトパラメータを割り当てることによってワイヤレスワイドエリアネットワークのためのデバイスの集団をサービスするノードからサービスを取得するための手段を備える。本装置は、マシンツーマシン（Ｍ２Ｍ）機能を示す第１のシグナリングメッセージをノードに送信するための手段を備える。本装置は、Ｍ２Ｍ機能に関連する第１の使用制約に準拠する、第１のデバイスのためのエアリンクのリソース割振りのための調整パラメータの割当てを受信するための手段を備える。
【００２０】
別のさらなる態様では、ワイヤレス通信のための装置が提供される。トランシーバが、エアリンクのリソース割振りのためのデフォルトパラメータを割り当てることによってワイヤレスワイドエリアネットワークのためのデバイスの集団をサービスするノードからサービスを取得する。コンピューティングプラットフォームが、トランシーバを介して、Ｍ２Ｍ機能を示す第１のシグナリングメッセージをノードに送信する。トランシーバはさらに、Ｍ２Ｍ機能に関連する第１の使用制約に準拠する、第１のデバイスのためのエアリンクのリソース割振りのための調整パラメータの割当てを受信する。
【００２１】
上記および関連する目的を達成するために、１つまたは複数の態様は、以下で十分に説明し、特に特許請求の範囲で指摘する特徴を備える。以下の説明および添付の図面に、１つまたは複数の態様のうちのいくつかの例示的な特徴を詳細に記載する。ただし、これらの特徴は、様々な態様の原理が採用され得る様々な方法のほんのいくつかを示すものであり、この説明は、すべてのそのような態様およびそれらの均等物を含むものとする。
【００２２】
本開示の上述の特徴を詳細に理解することができるように、添付の図面にその一部を示す態様を参照することによって、上記で簡単に要約したより具体的な説明が得られ得る。ただし、その説明は他の等しく有効な態様に通じ得るので、添付の図面は、本開示のいくつかの典型的な態様のみを示し、したがって、その範囲を限定するものと見なすべきではないことに留意されたい。
【図面の簡単な説明】
【００２３】
【図１】マシンツーマシン（Ｍ２Ｍ）インジケーションおよびスケジューリングを有するワイヤレスワイドエリアネットワーク（ＷＡＮ）を示す図。
【図２】様々な使用制約を有するＭ２Ｍデバイスの例示的なグループを示す図。
【図３】ノードがＭ２Ｍインジケーションに応答してＷＷＡＮスケジューリングを実行するための方法の流れ図。
【図４】モバイルデバイスがＷＷＡＮにおいてＭ２Ｍ機能を示し、Ｍ２Ｍ機能に適したスケジューリングを受信するための方法の流れ図。
【図５】本開示のいくつかの態様による、無線リソース制御（ＲＲＣ）接続時間における発展型ノードＢ（ｅノードＢ）へのＭ２Ｍインジケータ配信の一例を示す図。
【図６】本開示のいくつかの態様による、サービスのタイプに基づいてＭ２Ｍインジケータを更新することの一例を示す図。
【図７】本開示のいくつかの態様による、マシンツーマシンデバイスおよびサービスを識別するための例示的なネットワーク側動作を示す図。
【図８】図７に示す動作を実行することが可能な例示的な構成要素を示す図。
【図９】本開示のいくつかの態様による、マシンツーマシンデバイスおよびサービスを識別するための例示的な送信機側動作を示す図。
【図１０】図９に示す動作を実行することが可能な例示的な構成要素を示す図。
【図１１】非Ｍ２ＭおよびＭ２Ｍスケジューリングを実行することが可能なノードＢの概略図。
【図１２】非Ｍ２ＭおよびＭ２Ｍオブジェクトのためのスケジューリングを要求することが可能なモバイルデバイスの概略図。
【図１３】非Ｍ２ＭおよびＭ２Ｍオブジェクトのためのスケジューリングを要求するための電気的構成要素の論理グルーピングを備える装置の概略図。
【図１４】非Ｍ２ＭおよびＭ２Ｍオブジェクトのためのスケジューリングを要求することが可能なモバイルデバイスの概略図。
【図１５】非Ｍ２ＭおよびＭ２Ｍスケジューリングを実行するための手段を有する装置の概略図。
【図１６】非Ｍ２ＭおよびＭ２Ｍオブジェクトのためのスケジューリングを要求するための手段を有する装置の概略図。
【発明を実施するための形態】
【００２４】
本開示のいくつかの態様は、「マシンツーマシン(machine-to-machine)（Ｍ２Ｍ）」サービスを要求するモバイルデバイスに対する適切なネットワークビヘイビアをトリガするためのシグナリングサポートを提供する。
【００２５】
セルラーシステムを介したＭ２Ｍサービスのサポートでは、システムに有益であろう様々なビヘイビアが識別され得る。一例として、Ｍ２Ｍデバイスのための極めて低アクティビティの不連続受信（ＤＲＸ）または不連続送信（ＤＴＸ）サイクルのような示唆される最適化につながる、バッテリー寿命が重要である多くのＭ２Ｍ使用事例がある。他の使用事例は、バッテリー寿命に関するそのような制約を有することも有しないこともあるが、代わりにまたは追加として、Ｍ２Ｍ動作にとって有益な他の特徴またはビヘイビアに好適であり得る。
【００２６】
Ｍ２Ｍデバイスのための提案されたビヘイビアの大部分は、モバイルデバイスとサービングネットワークの両方に関与する。長いＤＲＸサイクルの場合、ネットワークは、より長いサイクルを構成すべきであることに気づいている必要があり得る。たとえば、３ＧＰＰシステムにおいて、ネットワークは、常に、接続されたＵＥのＤＲＸ構成の絶対制御を有し得る。ネットワークは、モバイルデバイスの構成に気づいているべきであり、したがって、モバイルデバイスにいつ送信することができるかを知っている。そのようなビヘイビアが可能であるために、デバイス、またはデバイスに関与する特定のサービスが、ビヘイビアが適切であろうＭ２Ｍアクティビティに関与するときについてネットワークに何らかのインジケーション(indication)があるべきである。
【００２７】
本開示のいくつかの態様では、Ｍ２Ｍ「特性」は、サービスごとまたはデバイスごとのいずれかとして考えられ得る。前者の例は、車に埋め込まれたデバイスであり得、デバイスのセルラー使用の大部分は、少量のテレメトリタイプデータを転送することに充てられるが、デバイスは、時々、緊急呼などのボイストラフィックのために使用され得る。後者の例は、センサ、自動販売機、またはＭ２Ｍアクティビティのためにのみセルラーサービスを使用する他の単一目的デバイスであり得る。
【００２８】
いくつかの態様では、デバイスが完全にＭ２Ｍ機能専用である場合、デバイスは、それのステータスを示す際に特定のグラニュラリティ(granularity)を必要としない。デバイスが最初にコアネットワークにアタッチするときに、たとえば、デバイスは、それがＭ２Ｍデバイスであることを示し得、そのインジケーションは、デバイスが同じコアネットワークにアタッチしたままである限り、持続し、ネットワークのビヘイビアに影響を及ぼす。
【００２９】
代替的に、いくつかの態様では、Ｍ２Ｍ「インジケータ(indicator)」は、ユーザのホームネットワーク中のノードに常駐する永続的ユーザプロファイルの特性であり得る。そのようなデバイスがローミング中にコアネットワークにアタッチした場合、Ｍ２Ｍインジケータは、ホームネットワークから訪問先ネットワークに伝搬される必要があるであろう。
【００３０】
いずれの場合も、インジケータがサービングコアネットワークにとって利用可能になると、インジケータは、Ｍ２Ｍ機能に関係する特定の特徴に関与し得る（１つまたは複数の）ネットワークノードに配信され得る。たとえば、接続されたＵＥのＤＲＸサイクルがサービング発展型ノードＢ（ｅノードＢ）によって制御されるＬＴＥ規格では、Ｍ２Ｍインジケータは、接続確立時にコアネットワークによってｅノードＢに与えられる必要があるであろう。
【００３１】
いくつかの態様では、ネットワーク中の別のノードに常駐する特徴がモバイルデバイスのＭ２Ｍステータスによって影響を受けるとき、インジケータはそのノードに配信される必要があるであろう。関係するノードが何であるかと基礎をなすシステムアーキテクチャとに応じて、様々なインターフェースおよびプロトコルがこの配信のために利用可能である。
【００３２】
本開示のいくつかの態様では、単一のモバイルデバイスは、一部のサービスのためにはＭ２Ｍデバイスとして機能するが、他のサービスのためにはＭ２Ｍデバイスとして機能しないことがある。この場合、Ｍ２Ｍインジケータは、デバイスではなくサービスに関連付けられ得る。同等に、デバイスは、それのサービスのいずれがＭ２Ｍであるかを示す、ビットマップなどの、関連する記述を有し得る。しかしながら、多くのＭ２Ｍ最適化は、個々のサービスではなくデバイス全体のビヘイビアを対象とする。したがって、デバイスのための単一のインジケータを有することは適切であり得るが、現在のサービスステータスに基づいてこのインジケータの値を変更する能力を有することも適切であり得る。
【００３３】
一態様では、モバイルデバイスまたはモバイルデバイス上のいくつかのアクティブオブジェクトのためのＭ２Ｍまたは非Ｍ２Ｍに対する変化するステータスのこれらの変化は動的であり得る。別の態様では、サービスの確立または解放がかなり長い継続時間を有する高レベルプロシージャであるので、これらの変化は、動的ではなく「半静的」と記述され得る。ネットワークオーバーヘッドを最適化することは、Ｍ２Ｍステータスがどのくらい頻繁に更新されるかに基づくトレードオフであり得る。たとえば、実際には変化は低頻度（たとえば、ミリ秒、さらには秒のレベルではなく、分のレベル）であり得る。
【００３４】
いくつかの態様では、単一のモバイルデバイスは、Ｍ２Ｍ機能を使用せずに追加のサービスをサポートすることが可能であり得るが、それらのすべてがＭ２Ｍ機能を使用する複数のサービスを有し得る。この場合、モバイルデバイスは、すでに考慮した「本質的Ｍ２Ｍ」デバイスと同じ最適化の大部分から利益を得ることを予想し得、コアネットワークはモバイルデバイスをＭ２Ｍデバイスと見なすべきである。しかしながら、非Ｍ２Ｍサービス（たとえば、ボイス呼）が同じデバイスのために確立された場合、モバイルデバイスは、Ｍ２Ｍデバイスとして扱われるのを中止することが可能であるべきである。
【００３５】
いくつかの態様では、Ｍ２Ｍインジケータの半静的管理は、既存のサービスを中断せずにモバイルデバイスからコアネットワークに発信されるシグナリングの使用を必要とする。３ＧＰＰシステムでは、このシグナリングのための１つの好適な候補は、追跡エリア更新プロシージャのためにすでに定義されたシグナリングであり得る。しかしながら、また、新しいプロシージャがＭ２Ｍインジケーションを搬送する目的で定義され得る。より根本的には、同じモバイルデバイスのための、潜在的に異なるプロパティを有する、コアネットワークへの個別の論理アタッチメントを可能にするために、アタッチメントモデルが修正され得る。
【００３６】
いくつかの態様は、ワイヤレス通信のための方法を提供する。本方法は、概して、モバイルデバイスからワイヤレスネットワーク中の受信エンティティに、ワイヤレスネットワーク中のモバイルデバイスのマシンツーマシン（Ｍ２Ｍ）機能を示すシグナリングメッセージを送信することを含む。
【００３７】
いくつかの態様は、ワイヤレス通信のための方法を提供する。本方法は、概して、ワイヤレスネットワーク中のモバイルデバイスから、ワイヤレスネットワーク中のモバイルデバイスのマシンツーマシン（Ｍ２Ｍ）機能を示すシグナリングメッセージを受信することを含む。
【００３８】
いくつかの態様は、ワイヤレス通信のための装置を提供する。本装置は、概して、モバイルデバイスからワイヤレスネットワーク中の受信エンティティに、ワイヤレスネットワーク中のモバイルデバイスのマシンツーマシン（Ｍ２Ｍ）機能を示すシグナリングメッセージを送信するための論理を含む。
【００３９】
いくつかの態様は、ワイヤレス通信のための装置を提供する。本装置は、概して、ワイヤレスネットワーク中のモバイルデバイスから、ワイヤレスネットワーク中のモバイルデバイスのマシンツーマシン（Ｍ２Ｍ）機能を示すシグナリングメッセージを受信するための論理を含む。
【００４０】
いくつかの態様は、ワイヤレス通信のための装置を提供する。本装置は、概して、モバイルデバイスからワイヤレスネットワーク中の受信エンティティに、ワイヤレスネットワーク中のモバイルデバイスのマシンツーマシン（Ｍ２Ｍ）機能を示すシグナリングメッセージを送信するための手段を含む。
【００４１】
いくつかの態様は、ワイヤレス通信のための装置を提供する。本装置は、概して、ワイヤレスネットワーク中のモバイルデバイスから、ワイヤレスネットワーク中のモバイルデバイスのマシンツーマシン（Ｍ２Ｍ）機能を示すシグナリングメッセージを受信するための手段を含む。
【００４２】
いくつかの態様は、１つまたは複数のプロセッサによって実行可能である命令が記憶されたコンピュータ可読媒体を備える、ワイヤレス通信のためのコンピュータプログラム製品を提供する。命令は、概して、モバイルデバイスからワイヤレスネットワーク中の受信エンティティに、ワイヤレスネットワーク中のモバイルデバイスのマシンツーマシン（Ｍ２Ｍ）機能を示すシグナリングメッセージを送信するための命令を含む。
【００４３】
いくつかの態様は、１つまたは複数のプロセッサによって実行可能である命令が記憶されたコンピュータ可読媒体を備える、ワイヤレス通信のためのコンピュータプログラム製品を提供する。命令は、概して、ワイヤレスネットワーク中のモバイルデバイスから、ワイヤレスネットワーク中のモバイルデバイスのマシンツーマシン（Ｍ２Ｍ）機能を示すシグナリングメッセージを受信するための命令を含む。
【００４４】
本開示のいくつかの態様は、ワイヤレス通信のための装置を提供する。本装置は、概して、モバイルデバイスからワイヤレスネットワーク中の受信エンティティに、ワイヤレスネットワーク中のモバイルデバイスのマシンツーマシン（Ｍ２Ｍ）機能を示すシグナリングメッセージを送信するように構成された少なくとも１つのプロセッサを含む。
【００４５】
本開示のいくつかの態様は、ワイヤレス通信のための装置を提供する。本装置は、概して、ワイヤレスネットワーク中のモバイルデバイスから、ワイヤレスネットワーク中のモバイルデバイスのマシンツーマシン（Ｍ２Ｍ）機能を示すシグナリングメッセージを受信するように構成された少なくとも１つのプロセッサを含む。
【００４６】
次に、図面を参照しながら様々な態様について説明する。以下の記述では、説明の目的で、１つまたは複数の態様の完全な理解を与えるために多数の具体的な詳細を記載する。ただし、様々な態様は、これらの具体的な詳細なしに実施され得ることは明らかであろう。他の例では、これらの態様の説明を円滑にするために、よく知られている構造およびデバイスをブロック図の形態で示す。
【００４７】
図１を参照すると、ワイヤレスワイドエリアネットワーク（ＷＷＡＮ）１０２を含む通信システム１００において、ネットワーク装置（たとえば、ベースノード、基地局、アクセスネットワークなど）１０４は、エアリンク１１６のアップリンク（ＵＬ）１１２またはダウンリンク（ＵＬ）１１４のリソース割振りのためのデフォルトパラメータ１１０を割り当てることによって、ＷＷＡＮ１０２のためのデバイス（たとえば、ハンドセット、ユーザ機器（ＵＥ）モバイルデバイス、アクセス端末など）の集団１０８をサービスするためのスケジューラ１０６を有する。トランシーバ１１８は、デバイスの集団１０８のうちの第１のデバイス１２２からマシンツーマシン（Ｍ２Ｍ）機能を示す第１のシグナリングメッセージ１２０を受信する。コンピューティングプラットフォーム１２４は、Ｍ２Ｍ機能に関連する第１の使用制約１２６を判断する。スケジューラ１０６は、第１の使用制約１２６に準拠する、第１のデバイス１２２のためのエアリンク１１６のリソース割振りのための調整パラメータ１２８を割り当てる。
【００４８】
相応して第１のデバイス１２２では、トランシーバ１３０は、ネットワーク装置（ノード）１０４からサービスを取得し、これは、非Ｍ２Ｍデバイスに適したエアリンク１１６のリソース割振りの割当てのためのデフォルトパラメータ１１０を受信することを含むことができる。コンピューティングプラットフォーム１３２は、トランシーバ１３０を介してノード１０４にＭ２Ｍ機能を示す第１のシグナリングメッセージ１２０を送信する。トランシーバ１３０は、Ｍ２Ｍ機能に関連する第１の使用制約１２６に準拠する、第１のデバイス１２２のためのエアリンク１１６のリソース割振りのための調整パラメータ１２８の割当て１３６を受信する。
【００４９】
図２において、デバイスの例示的な集団２００は、使用空間２０２にグラフィカルに示すように異種の変動する使用制約を有する。明快のために、電力制約と、データスループットまたは緊急度要件と、モビリティの３つのＭ２Ｍ次元（機能）のみがプロットされている。
【００５０】
第１に、モバイルであり、適度の利用可能電力制約と回線交換またはパケット交換ユーザ機器にとって典型的であるデータスループットニーズとを有する、と仮定される非Ｍ２Ｍデバイス（たとえば、モバイルフォン）２０４は、使用空間２０２において「１」で示される、ＷＷＡＮにとってデフォルトである使用要件を有することができる。
【００５１】
第２に、組織化されたＭ２Ｍデバイス（たとえば、セキュリティシステム、システムステータス報告など）２０６は、最小モビリティと、本質的に無制限の電力と、概して最小のデータ頻度／スループットとを有する、使用空間２０２において「２」で示されるＭ２Ｍ機能を有することができる。たとえば、販売システムは、動作ステータス（すなわち、動作可能または動作不能）および残りの在庫に関して、秒、分、または時間に応じて報告することができる。別の例では、セキュリティシステムは、無制限電力が利用可能であるかまたはバッテリーバックアップ中であるかに関して、および侵入が検出されたかどうかに関して報告することができる。後者は、一方向または双方向ビデオまたはオーディオがストリーミングされるＭ２Ｍ使用要件の変更を開始し得る。最強ノードを選択するためのページングは、組織化されたＭ２Ｍデバイス２０６のモビリティの欠如により、必要とされないかまたはまれにしか必要とされない。
【００５２】
第３に、パッシブ状態にあるモバイルＭ２Ｍデバイス（たとえば、診断／追跡自動車システム）２０８は、使用空間２０２において初めに「３」で示される、変化する使用制約を有するＭ２Ｍ機能を有することができる。たとえば、車両がエンジンを稼動させずに駐車している。いくつかの間隔中に、モバイルＭ２Ｍデバイス２０８はアクティブ状態になり、セッション継続性を維持するために必要とされる報告またはページングの量が、使用空間２０２において「４」で示される異なる使用状態に変わる。
【００５３】
第４に、多目的Ｍ２Ｍデバイス（たとえば、スマートフォン、３Ｇ／４Ｇ対応ラップトップまたはノートパッドコンピュータなど）２１０は、１つまたは複数のＭ２Ｍオブジェクトと１つまたは複数の非Ｍ２Ｍオブジェクトとを有することができる。所与の時間において、Ｍ２Ｍ機能は状況に応じて変わり得る。たとえば、ユーザ２１２は、非Ｍ２Ｍオブジェクト２１４（たとえば、ボイスまたはマルチメディア通信）のために多目的Ｍ２Ｍデバイス２１０を使用することができ、デバイス２１０は、少なくとも部分的に、２１６で示される非Ｍ２Ｍモードに戻る。たとえば、非Ｍ２Ｍデバイス２０４のためのデフォルト使用制約は、使用空間２０２における「１」であり得る。別の例では、１つまたは複数のＭ２Ｍオブジェクト２１８は、いくつかの間隔中にまたは非Ｍ２Ｍオブジェクト２１４に関連してＭ２Ｍ機能のための使用制約を要求し得る。例示的なシナリオでは、デバイス２１０は、時間に応じて、より低いデータ間隔頻度およびスループットの目的で、使用空間２０２において「５」で示されるＭ２Ｍ使用制約に変わる。
【００５４】
第５に、Ｍ２Ｍデバイス２２０は、使用空間２０２において「６」および「７」で示される２つのＭ２Ｍ使用制約を有することができる。たとえば、健康状態監視デバイスは定常状態使用状態を有することができ、サービス寿命を増加させるために、電力を保つことが主要な考慮事項である。危険な状態が検出されると、電力を温存することを顧慮せずに、緊急およびより高帯域のデータを送るために優先度が変わる。
【００５５】
図３に、ノードがワイヤレス通信を実行するための方法３００または動作シーケンスを示す。ノードは、エアリンクのリソース割振りのためのデフォルトパラメータを割り当てることによってワイヤレスワイドエリアネットワークのためのデバイスの集団をサービスする（ブロック３０４）。ノードは、デバイスの集団のうちの第１のデバイスからマシンツーマシン（Ｍ２Ｍ）機能を示す第１のシグナリングメッセージを受信する（ブロック３０６）。ノードは、Ｍ２Ｍ機能に関連する第１の使用制約を判断する（ブロック３０８）。ノードは、第１の使用制約に準拠する、第１のデバイスのためのエアリンクのリソース割振りのための調整パラメータを割り当てる（ブロック３１０）。
【００５６】
図４に、第１のデバイス（たとえば、アクセス端末）がノードとのワイヤレス通信を実行するための方法４００または動作シーケンスを示す。デバイスは、少なくともそのサブセットがエアリンクのリソース割振りのためのデフォルトパラメータを割り当てられているＷＷＡＮのためのデバイスの集団をサービスするノードからサービスを取得する（ブロック４０４）。第１のデバイスは、Ｍ２Ｍ機能を示す第１のシグナリングメッセージをノードに送信する（ブロック４０６）。第１のデバイスは、Ｍ２Ｍ機能に関連する第１の使用制約に準拠する、エアリンクのリソース割振りのための調整パラメータの割当てを受信する（ブロック４０８）。
【００５７】
図５に、本開示のいくつかの態様による、無線リソース制御（ＲＲＣ）接続時間におけるｅノードＢへのＭ２Ｍインジケータ配信の一例５００を示す。ＵＥ５０２からのＭ２Ｍインジケータが、初期アタッチメントプロシージャ５０８の一部としてモビリティ管理エンティティ（ＭＭＥ）５０４に与えられ、したがって（図において単一の「ＭＭＥ＋ＣＮ」５０６ボックスとして示される）コアネットワーク（ＣＮ）に与えられる。いくつかの態様では、Ｍ２Ｍインジケータは、代わりに、たとえば、ホーム加入者サーバ（ＨＳＳ）に記憶された永続的ユーザプロファイルの一部としてＵＥ５０２のホームネットワークから検索され得る。
【００５８】
ＵＥ５０２がｅノードＢ５０４に接続するとき、またはネットワークがアタッチプロシージャ５０８の後にＵＥ５０２を接続モードのままにしておくことを判断した場合、ＭＭＥ５０６は、ＵＥ５０２がＭ２ＭデバイスであることをｅノードＢ５０４に示す（５１０）ことができる。Ｍ２Ｍインジケータは、ＵＥコンテキストとともにＭＭＥ＋ＣＮ５０６に記憶される（ブロック５１２）。Ｍ２ＭインジケーションはＳ１リソースの割振りに関連付けられる（ブロック５１４）。Ｍ２Ｍがアクティブになるまで時間が経過し得る（ブロック５１５）。Ｓ１割振りは、ＭＭＥ５０６がＵＥ５０２とｅノードＢ５０４との間の進行中のＲＲＣ接続確立（ブロック５１６）に気づく最初のプロシージャであるので、好都合なトリガである。インジケータはまた、その後、任意のポイントにおいてｅノードＢ５０４に与えられ得る（ブロック５１８）。ｅノードＢ５０４は、不連続受信（ＤＲＸ）サイクルを構成することなどの目的のためにＭ２Ｍインジケータを利用することができる（ブロック５２０）。
【００５９】
図６に、本開示のいくつかの態様による、モバイルデバイス６０２とコアネットワーク（ＣＮ）６０４との間でアクティブサービスに基づいてＭ２Ｍインジケータの値を更新することの一例６００を示す。図６中の用語は特定の技術に限定されるものではないことに留意されたい。たとえば、３ＧＰＰシステムにおいて、「Ｍ２Ｍステータスのインジケーション」６０６と標示されたメッセージは、モバイルデバイス（またはＵＥ）６０２からサービングＭＭＥ（図示せず）に向けられた追跡エリア更新メッセージであり得、インジケータは、ＭＭＥにおいて記憶されるか、またはコアネットワーク６０４中のあるノードにさらに配信される。図示のように、モバイルデバイスは、常に、Ｍ２Ｍ機能をサポートしないデバイス（すなわち、非Ｍ２Ｍデバイス）としてコアネットワークにアタッチする（６０２）ことができる（ブロック６０８）。ＣＮ６０４は、Ｍ２Ｍインジケータをオフとして、デバイスコンテキストを記憶する（ブロック６１０）。
【００６０】
モバイルデバイスは、コアネットワーク６０４との１つまたは複数のＭ２Ｍサービス６１２を確立し得る。モバイルデバイス６０２は、それのサービスのすべてがＭ２Ｍであることを検出したときはいつでも、追跡エリア更新などのメッセージ６１４を介してそれのＭ２Ｍステータスを示し得る。追跡エリア更新プロシージャは、半静的インジケータを導入するための最も影響の小さい手法である。Ｍ２Ｍステータス更新は、ネットワークに、モバイルデバイスをＭ２Ｍデバイスとして扱うことを開始させ得る。非Ｍ２Ｍサービスの追加６１６は、ネットワークがもはやＭ２Ｍ固有ビヘイビアをモバイルに適用しないように、別のＭ２Ｍステータス更新メッセージ６１８にインジケータの値を変更させ得る。
【００６１】
いくつかの態様では、Ｍ２Ｍインジケータは、確立プロシージャの一部としてサービスごとに個別に配信され得る。したがって、コアネットワークは、サービスごとに個別にインジケータを記憶することができる（同等に、コアネットワークは、デバイスコンテキストに関連する、サービスごとのインジケータ値のマップを維持することができる）。サービスごとに有意味に適用され得るＭ２Ｍビヘイビアでは、次いで、適切なサービスのためのインジケータは、対応する機能を維持することを受け持つネットワークノードに与えられ得る。しかしながら、現在識別されるＭ２Ｍサポート拡張の大部分はデバイス全体に適用される（たとえば、概して、特定のサービスにではなくデバイス全体に適用されるＤＲＸサイクル）。デバイスがサービスごとのＭ２Ｍステータスを示す場合、コアネットワークは、特定のデバイスへのサービスのためのアグリゲートされたインジケータから、デバイスがＭ２Ｍデバイスとして機能しているかどうかを判断することを受け持つであろう。
【００６２】
いくつかの態様では、Ｍ２Ｍインジケータはステータスのブールインジケータであり得る。したがって、デバイスまたはサービスはＭ２Ｍか否かのいずれかとして示され得る。しかしながら、（仕様によって形式的に分類されることも分類されないこともある）Ｍ２Ｍサービスの異なるクラスがあり得、異なる最適化が適用可能である。たとえば、医療センサは、延長されたＤＲＸサイクルなどのバッテリー節約最適化から利益を得ることがあるが、それのモビリティにおいて制限されることはなく、自動販売機は、概して、アグレッシブな電力節約の必要を有しないが、ほぼ確実に、低モビリティを有すると仮定され得る。そのような場合、デバイスが利益を得ることを予想する特定のサービス／デバイスクラスまたは特定のビヘイビアのいずれかを示すことに利益があり得る。
【００６３】
いくつかの態様では、医療センサなど、バッテリー節約最適化と高モビリティとを必要とするデバイスは、「バッテリー制限と高モビリティとを有するＭ２Ｍ」としてそれ自体を識別することができ、自動販売機など、電力制限を有さず、低モビリティを有するデバイスは、「低モビリティを有し、バッテリー制限を有しないＭ２Ｍ」としてそれ自体を識別することができる。これらの記述は、事前識別されたクラスのグループに関係するかまたは特性ごとの個別のフラグに関係することができ、上記で説明したように、それらは、デバイスまたは特定のサービスのいずれかに関係することができる。
【００６４】
図７に、本開示のいくつかの態様による、マシンツーマシンデバイスおよびサービスを識別するための例示的なネットワーク側動作を示す。７０２において、装置からマシンツーマシン（Ｍ２Ｍ）機能の第１のインジケーションを受信する。７０４において、Ｍ２Ｍ機能に関係する動作特徴を装置に割り当てる。たとえば、装置におけるサービスのすべてがＭ２Ｍである場合、装置はＭ２Ｍデバイスと見なされ得る。７０６において、装置のＭ２Ｍ機能に関与し得る１つまたは複数の装置にインジケーションを送る。たとえば、インジケータは、デバイスがＭ２Ｍデバイスであるか否かのステータスを報告し得る。７０８において、場合によっては、装置からＭ２Ｍ機能の変化の第２のインジケーションを受信する。たとえば、装置のステータスの変化は、非Ｍ２Ｍ機能を必要とするサービスの開始または停止に起因し得る。７１０において、第２のインジケーションに応答して装置の動作特徴を調整する。７１２において、第２のインジケーションに応答して、装置のＭ２Ｍ機能に関与し得る１つまたは複数の装置にインジケーションを送る。
【００６５】
図８に、本開示のいくつかの態様による、マシンツーマシンデバイスおよびサービスを識別するための例示的な送信機側動作を示す。８０２において、Ｍ２Ｍ機能の第１のインジケーションをコアネットワークに送信する。たとえば、装置は、それのサービスのすべてがＭ２Ｍサービスである場合、装置がＭ２Ｍデバイスであることを示し得る。または、装置は、各特定のサービスのＭ２Ｍステータスをコアネットワークに示し得る。８０４において、場合によっては、コアネットワークからＭ２Ｍ機能に関係する動作特徴を受信する。８０６において、非Ｍ２Ｍサービスの開始または停止に起因するＭ２Ｍ機能の変化を検出する。８０８において、場合によっては、Ｍ２Ｍ機能の変化の第２のインジケーションをコアネットワークに送信する。
【００６６】
本開示のいくつかの態様は、Ｍ２Ｍ機能を要求するモバイルデバイスを識別し、そのモバイルデバイスに対する適切なネットワークビヘイビアをトリガするための方法を提供する。
【００６７】
上述の方法の様々な動作は、図に示すミーンズプラスファンクションブロックに対応する様々な（１つまたは複数の）ハードウェアおよび／またはソフトウェア構成要素および／またはモジュールによって実行され得る。図９に、本開示のいくつかの態様による、マシンツーマシンデバイスおよびサービスを識別するための例示的なネットワーク側動作を実行するためのネットワーク装置９００を示す。９０２において、ネットワーク装置９００は、装置からマシンツーマシン（Ｍ２Ｍ）機能の第１のインジケーションを受信するための手段を備える。９０４において、ネットワーク装置９００は、Ｍ２Ｍ機能に関係する動作特徴を装置に割り当てるための手段を備える。たとえば、装置におけるサービスのすべてがＭ２Ｍである場合、装置はＭ２Ｍデバイスと見なされ得る。９０６において、ネットワーク装置９００は、装置のＭ２Ｍ機能に関与し得る１つまたは複数の装置にインジケーションを送るための手段を備える。たとえば、インジケータは、デバイスがＭ２Ｍデバイスであるか否かのステータスを報告し得る。９０８において、ネットワーク装置９００は、場合によっては、装置からＭ２Ｍ機能の変化の第２のインジケーションを受信するための手段を備える。たとえば、装置のステータスの変化は、非Ｍ２Ｍ機能を必要とするサービスの開始または停止に起因し得る。９１０において、ネットワーク装置９００は、第２のインジケーションに応答して装置の動作特徴を調整するための手段を備える。９１２において、ネットワーク装置９００は、第２のインジケーションに応答して、装置のＭ２Ｍ機能に関与し得る１つまたは複数の装置にインジケーションを送るための手段を備える。
【００６８】
図１０に、本開示のいくつかの態様による、マシンツーマシンデバイスおよびサービスを識別するための例示的な送信機側動作を実行するための装置１０００を示す。１００２において、装置１０００は、Ｍ２Ｍ機能の第１のインジケーションをコアネットワークに送信するための手段を備える。たとえば、装置は、それのサービスのすべてがＭ２Ｍサービスである場合、装置がＭ２Ｍデバイスであることを示し得る。または、装置１０００は、各特定のサービスのＭ２Ｍステータスをコアネットワークに示し得る。１００４において、装置１０００は、場合によっては、コアネットワークからＭ２Ｍ機能に関係する動作特徴を受信するための手段を備える。１００６において、装置１０００は、非Ｍ２Ｍサービスの開始または停止に起因するＭ２Ｍ機能の変化を検出するための手段を備える。１００８において、装置１０００は、場合によっては、Ｍ２Ｍ機能の変化の第２のインジケーションをコアネットワークに送信するための手段を備える。
【００６９】
図１１は、本明細書で説明する機能の様々な態様を実装するために利用され得るシステム１１００のブロック図である。一例では、システム１１００は、基地局またはノードＢ１１０２を含む。図示のように、ノードＢ１１０２は、１つまたは複数の受信（Ｒｘ）アンテナ１１０６を介して１つまたは複数のＵＥ１１０４から（１つまたは複数の）信号を受信し、１つまたは複数の送信（Ｔｘ）アンテナ１１０８を介して１つまたは複数のＵＥ１１０４に（１つまたは複数の）信号を送信することができる。さらに、ノードＢ１１０２は、（１つまたは複数の）受信アンテナ１１０６から情報を受信する受信機１１１０を備えることができる。一例では、受信機１１１０は、受信した情報を復調する復調器１１１２に動作可能に結合され得る。次いで、復調されたシンボルは、プロセッサ１１１４によって分析され得る。プロセッサ１１１４は、コードクラスタ、アクセス端末割当て、それに関係するルックアップテーブル、固有のスクランブル系列に関係する情報、および／または他の好適なタイプの情報を記憶することができるメモリ１１１６に結合され得る。一例では、ノードＢ１１０２はまた、送信機１１２０によって（１つまたは複数の）送信アンテナ１１０８を介して送信するために信号を多重化することができる変調器１１１８を含むことができる。メモリ１１１６は、プロセッサ１１１４によって実行されたとき、非Ｍ２Ｍ被サービスデバイスのためのエアリンク割当てのためのデフォルトパラメータ、およびＭ２Ｍ被サービスデバイスのためのエアリンク割当てのための調整パラメータにおいてそれぞれのスケジューリングを行う、非Ｍ２Ｍスケジューリング構成要素１１３０およびＭ２Ｍスケジューリング構成要素１１３２を記憶する。
【００７０】
図１２は、本明細書で説明する機能の様々な態様を実装するために利用され得る別のシステム１２００のブロック図である。一例では、システム１２００はモバイル端末１２０２を含む。図示のように、モバイル端末１２０２は、１つまたは複数のアンテナ１２０８を介して、１つまたは複数の基地局１２０４から（１つまたは複数の）信号を受信し、１つまたは複数の基地局１２０４に（１つまたは複数の）信号を送信することができる。さらに、モバイル端末１２０２は、（１つまたは複数の）アンテナ１２０８から情報を受信する受信機１２１０を備えることができる。一例では、受信機１２１０は、受信した情報を復調する復調器１２１２に動作可能に結合され得る。次いで、復調されたシンボルは、プロセッサ１２１４によって分析され得る。プロセッサ１２１４は、モバイル端末１２０２に関係するデータおよび／またはプログラムコードを記憶することができるメモリ１２１６に結合され得る。さらに、モバイル端末１２０２は、本明細書で説明する方法を実行するためにプロセッサ１２１４を採用することができる。モバイル端末１２０２はまた、（１つまたは複数の）アンテナ１２０８を介して送信機１２２０によって送信するために信号を多重化することができる変調器１２１８を含むことができる。メモリ１２１６は、プロセッサ１２１４によって実行されたとき、エアリンク割当てデバイスのためのデフォルトパラメータおよび調整パラメータにおいてそれぞれのスケジューリングを促す、非Ｍ２Ｍ被スケジュールオブジェクト１２３０およびＭ２Ｍ被スケジュールオブジェクト１２３２を記憶する。
【００７１】
図１３を参照すると、ワイヤレス通信のためのシステム１３００が示されている。たとえば、システム１３００は、少なくとも部分的にネットワークエンティティ（たとえば、発展型ベースノード）内に常駐することができる。システム１３００は機能ブロックを含むものとして表されており、その機能ブロックは、コンピューティングプラットフォーム、プロセッサ、ソフトウェア、またはそれらの組合せ（たとえばファームウェア）によって実装される機能を表す機能ブロックであり得ることを諒解されたい。システム１３００は、連携して動作することができる電気的構成要素の論理グルーピング１３０２を含む。たとえば、論理グルーピング１３０２は、エアリンクのリソース割振りのためのデフォルトパラメータを割り当てることによってワイヤレスワイドエリアネットワークのためのデバイスの集団をサービスするための電気的構成要素１３０４を含むことができる。その上、論理グルーピング１３０２は、デバイスの集団のうちの第１のデバイスからマシンツーマシン（Ｍ２Ｍ）機能を示す第１のシグナリングメッセージを受信するための電気的構成要素１３０６を含むことができる。さらに、論理グルーピング１３０２は、Ｍ２Ｍ機能に関連する第１の使用制約を判断するための電気的構成要素１３０８を含むことができる。論理グルーピング１３０２は、第１の使用制約に準拠する、第１のデバイスのためのエアリンクのリソース割振りのための調整パラメータを割り当てるための電気的構成要素１３１０を含むことができる。さらに、システム１３００は、電気的構成要素１３０４〜１３１０に関連する機能を実行するための命令を保持するメモリ１３２０を含むことができる。メモリ１３２０の外部にあるものとして示されているが、電気的構成要素１３０４〜１３１０の１つまたは複数は、メモリ１３２０の内部に存在することができることを理解されたい。
【００７２】
図１４を参照すると、ワイヤレス通信のためのシステム１４００が示されている。たとえば、システム１４００は、少なくとも部分的にユーザ機器（ＵＥ）内に常駐することができる。システム１４００は機能ブロックを含むものとして表されており、その機能ブロックは、コンピューティングプラットフォーム、プロセッサ、ソフトウェア、またはそれらの組合せ（たとえばファームウェア）によって実装される機能を表す機能ブロックであり得ることを諒解されたい。システム１４００は、連携して動作することができる電気的構成要素の論理グルーピング１４０２を含む。たとえば、論理グルーピング１４０２は、エアリンクのリソース割振りのためのデフォルトパラメータを割り当てることによってワイヤレスワイドエリアネットワークのためのデバイスの集団をサービスするノードからサービスを取得するための電気的構成要素１４０４を含むことができる。その上、論理グルーピング１４０２は、マシンツーマシン（Ｍ２Ｍ）機能を示す第１のシグナリングメッセージをノードに送信するための電気的構成要素１４０６を含むことができる。さらに、論理グルーピング１４０２は、Ｍ２Ｍ機能に関連する第１の使用制約に準拠する、第１のデバイスのためのエアリンクのリソース割振りのための調整パラメータの割当てを受信するための電気的構成要素１４０８を含むことができる。さらに、システム１４００は、電気的構成要素１４０４〜１４０８に関連する機能を実行するための命令を保持するメモリ１４２０を含むことができる。メモリ１４２０の外部にあるものとして示されているが、電気的構成要素１４０４〜１４０８の１つまたは複数は、メモリ１４２０の内部に存在することができることを理解されたい。
【００７３】
図１５には、ワイヤレス通信のための装置１５０２が示されている。装置１５０２は、エアリンクのリソース割振りのためのデフォルトパラメータを割り当てることによってワイヤレスワイドエリアネットワークのためのデバイスの集団をサービスするための手段１５０４を備える。装置１５０２は、デバイスの集団のうちの第１のデバイスからマシンツーマシン（Ｍ２Ｍ）機能を示す第１のシグナリングメッセージを受信するための手段１５０６を備える。装置１５０２は、Ｍ２Ｍ機能に関連する第１の使用制約を判断するための手段１５０８を備える。装置１５０２は、第１の使用制約に準拠する、第１のデバイスのためのエアリンクのリソース割振りのための調整パラメータを割り当てるための手段１５１０を備える。
【００７４】
図１６には、ワイヤレス通信のための装置１６０２が示されている。装置１６０２は、エアリンクのリソース割振りのためのデフォルトパラメータを割り当てることによってワイヤレスワイドエリアネットワークのためのデバイスの集団をサービスするノードからサービスを取得するための手段１６０４を備える。装置１６０２は、マシンツーマシン（Ｍ２Ｍ）機能を示す第１のシグナリングメッセージをノードに送信するための手段１６０６を備える。装置１６０２は、Ｍ２Ｍ機能に関連する第１の使用制約に準拠する、第１のデバイスのためのエアリンクのリソース割振りのための調整パラメータの割当てを受信するための手段１６０８を備える。
【００７５】
本開示に関連して説明した様々な例示的な論理ブロック、モジュール、および回路は、汎用プロセッサ、デジタル信号プロセッサ（ＤＳＰ）、特定用途向け集積回路（ＡＳＩＣ）、フィールドプログラマブルゲートアレイ信号（ＦＰＧＡ）または他のプログラマブル論理デバイス（ＰＬＤ）、個別ゲートまたはトランジスタ論理、個別ハードウェア構成要素、あるいは本明細書で説明した機能を実行するように設計されたそれらの任意の組合せを用いて実装または実行され得る。汎用プロセッサはマイクロプロセッサであり得るが、代替として、プロセッサは、任意の市販のプロセッサ、コントローラ、マイクロコントローラ、または状態機械であり得る。プロセッサはまた、コンピューティングデバイスの組合せ、たとえば、ＤＳＰとマイクロプロセッサとの組合せ、複数のマイクロプロセッサ、ＤＳＰコアと連携する１つまたは複数のマイクロプロセッサ、あるいは任意の他のそのような構成として実装され得る。
【００７６】
本開示に関連して説明した方法またはアルゴリズムのステップは、直接ハードウェアで実施されるか、プロセッサによって実行されるソフトウェアモジュールで実施されるか、またはその２つの組合せで実施され得る。ソフトウェアモジュールは、当技術分野で知られている任意の形態の記憶媒体中に常駐し得る。使用され得る記憶媒体のいくつかの例には、ランダムアクセスメモリ（ＲＡＭ）、読取り専用メモリ（ＲＯＭ）、フラッシュメモリ、ＥＰＲＯＭメモリ、ＥＥＰＲＯＭメモリ、レジスタ、ハードディスク、リムーバブルディスク、ＣＤ−ＲＯＭなどがある。ソフトウェアモジュールは、単一の命令、または多数の命令を備え得、いくつかの異なるコードセグメント上で、異なるプログラム間で、および複数の記憶媒体にわたって分散され得る。記憶媒体は、プロセッサがその記憶媒体から情報を読み取ることができ、その記憶媒体に情報を書き込むことができるように、プロセッサに結合され得る。代替として、記憶媒体はプロセッサに一体化され得る。
【００７７】
本明細書で開示する方法は、説明した方法を達成するための１つまたは複数のステップまたはアクションを備える。本方法のステップおよび／またはアクションは、特許請求の範囲から逸脱することなく互いに交換され得る。言い換えれば、ステップまたはアクションの特定の順序が指定されない限り、特定のステップおよび／またはアクションの順序および／または使用は特許請求の範囲から逸脱することなく変更され得る。
【００７８】
説明した機能は、ハードウェア、ソフトウェア、ファームウェア、またはそれらの組合せで実装され得る。ソフトウェアで実装した場合、機能は１つまたは複数の命令としてコンピュータ可読媒体に記憶され得る。記憶媒体は、コンピュータによってアクセスされ得る任意の利用可能な媒体であり得る。限定ではなく、例として、そのようなコンピュータ可読媒体は、ＲＡＭ、ＲＯＭ、ＥＥＰＲＯＭ、ＣＤ−ＲＯＭまたは他の光ディスクストレージ、磁気ディスクストレージまたは他の磁気ストレージデバイス、あるいは命令またはデータ構造の形態の所望のプログラムコードを搬送または記憶するために使用され得、コンピュータによってアクセスされ得る、任意の他の媒体を備えることができる。本明細書で使用するディスク（disk）およびディスク（disc）は、コンパクトディスク（disc）（ＣＤ）、レーザディスク（disc）、光ディスク（disc）、デジタル多用途ディスク（disc）（ＤＶＤ）、フロッピー（登録商標）ディスク（disk）およびブルーレイ（登録商標）ディスク（disc）を含み、ディスク（disk）は、通常、データを磁気的に再生し、ディスク（disc）は、データをレーザで光学的に再生する。
【００７９】
また、ソフトウェアまたは命令は、伝送媒体を介して伝送され得る。たとえば、ソフトウェアが、同軸ケーブル、光ファイバケーブル、ツイストペア、デジタル加入者回線（ＤＳＬ）、または赤外線、無線、およびマイクロ波などのワイヤレス技術を使用して、ウェブサイト、サーバ、または他のリモートソースから送信される場合、同軸ケーブル、光ファイバケーブル、ツイストペア、ＤＳＬ、または赤外線、無線、およびマイクロ波などのワイヤレス技術は、伝送媒体の定義に含まれる。
【００８０】
さらに、本明細書で説明した方法および技法を実行するためのモジュールおよび／または他の適切な手段は、適用可能な場合にユーザ端末および／または基地局によってダウンロードおよび／または他の方法で取得され得ることを諒解されたい。たとえば、本明細書で説明した方法を実行するための手段の転送を可能にするために、そのようなデバイスをサーバに結合し得る。代替的に、本明細書で説明した様々な方法を記憶手段（たとえば、ＲＡＭ、ＲＯＭ、コンパクトディスク（ＣＤ）またはフロッピーディスクなどの物理的記憶媒体など）によって提供することができ、それにより、ユーザ端末および／または基地局は、その記憶手段をデバイスに結合または供給すると、それらの様々な方法を取得することができるようになる。さらに、本明細書で説明した方法および技法をデバイスに提供するための任意の他の適切な技法を利用し得る。
【００８１】
特許請求の範囲は、上記に示した正確な構成および構成要素に限定されないことを理解されたい。上記で説明した方法および装置の構成、動作および詳細において、特許請求の範囲から逸脱することなく、様々な改変、変更および変形を行い得る。
【００８２】
上記は本開示の態様を対象とするが、本開示の他の態様およびさらなる態様は、その基本的範囲から逸脱することなく考案され得、その範囲は以下の特許請求の範囲によって判断される。
以下に、本願出願当初の特許請求の範囲に記載された発明を付記する。
［１］  エアリンクのリソース割振りのためのデフォルトパラメータを割り当てることによってワイヤレスワイドエリアネットワークのためのデバイスの集団をサービスすることと、
デバイスの前記集団のうちの第１のデバイスからマシンツーマシン（Ｍ２Ｍ）機能を示す第１のシグナリングメッセージを受信することと、
前記Ｍ２Ｍ機能に関連する第１の使用制約を判断することと、
前記第１の使用制約に準拠する、前記第１のデバイスのための前記エアリンクのリソース割振りのための調整パラメータを割り当てることと
を備える、ワイヤレス通信のための方法。
［２］    前記第１の使用制約を判断することが、コアネットワークを介してホームネットワークからの加入データにアクセスすることをさらに備える、［１］に記載の方法。
［３］    前記第１の使用制約を判断することが、前記Ｍ２Ｍ機能に関連するモビリティ特性を判断することをさらに備える、［１］に記載の方法。
［４］    前記第１の使用制約を判断することが、前記Ｍ２Ｍ機能に関連する電力特性を判断することをさらに備える、［１］に記載の方法。
［５］    前記第１の使用制約を判断することが、前記Ｍ２Ｍ機能に関連する緊急度特性を判断することをさらに備える、［１］に記載の方法。
［６］    前記第１の使用制約を判断することが、前記Ｍ２Ｍ機能に関連するデータスループット特性を判断することをさらに備える、［１］に記載の方法。
［７］    前記調整パラメータを割り当てることが、前記第１の使用制約に関する周期的報告の頻度を割り当てることをさらに備える、［１］に記載の方法。
［８］    前記第１の使用制約に関する周期的報告の前記頻度を割り当てることが、不連続受信サイクルと不連続送信サイクルとのうちの選択された１つを調整することをさらに備える、［１］に記載の方法。
［９］    前記第１の使用制約に関する周期的報告の前記頻度を割り当てることが、不連続受信サイクルと不連続送信サイクルとを調整することをさらに備える、［７］に記載の方法。
［１０］    前記第１の使用制約を判断することが、前記Ｍ２Ｍ機能に関連する一方向データスループット特性を判断することをさらに備える、［１］に記載の方法。
［１１］    前記第１のデバイスから第２のシグナリングメッセージを受信することと、
前記第２のシグナリングメッセージに基づいて第２の使用制約を判断することと、
前記第２の使用制約に準拠する、前記第１のデバイスのための前記エアリンクのリソース割振りのための第２の調整パラメータを割り当てることと
をさらに備える、［１］に記載の方法。
［１２］    前記第２の使用制約を判断することは、前記第１のデバイスがＭ２Ｍ機能を中止したと判断することをさらに備える、［１１］に記載の方法。
［１３］    前記第２の使用制約を判断することは、前記第１のデバイスがＭ２Ｍ機能を有する少なくとも第１のアプリケーションと非Ｍ２Ｍ機能を有する少なくとも第２のアプリケーションとを有すると判断することをさらに備える、［１１］に記載の方法。
［１４］    デバイスの前記集団のうちの前記第１のデバイスからＭ２Ｍ機能を示す前記第１のシグナリングメッセージを受信することが、複数のインジケータを受信することをさらに備え、各インジケータが、前記第１のデバイスにおいて終端するネットワークベアラに対応する複数のサービスの各々の適用性を搬送する、［１］に記載の方法。
［１５］    デバイスの前記集団のうちの前記第１のデバイスからＭ２Ｍ機能を示す前記第１のシグナリングメッセージを受信することが、複数のインジケータを受信することをさらに備え、各インジケータが、前記第１のデバイスにおいて終端するネットワークベアラに対応するサービスのグループの適用性を搬送する、［１］に記載の方法。
［１６］    デバイスの前記集団のうちの前記第１のデバイスからＭ２Ｍ機能を示す前記第１のシグナリングメッセージを受信することが、複数のインジケータを受信することをさらに備え、各インジケータは、前記第１のデバイスのオブジェクトがＭ２Ｍオブジェクトであると見なされるべきかどうかを示すブールフラグである、［１］に記載の方法。
［１７］    前記オブジェクトが前記第１のデバイスに対応する、［１６］に記載の方法。
［１８］    前記オブジェクトがサービスに対応する、［１６］に記載の方法。
［１９］    前記オブジェクトがサービスのグループに対応する、［１６］に記載の方法。
［２０］    モビリティと、電力制限と、前記エアリンクのアップリンクおよびダウンリンクの固定使用とのうちの１つまたは複数を備える、前記Ｍ２Ｍ機能に関連する複数の使用制約を判断することと、
前記複数の使用制約に応答して、前記第１のデバイスが前記アップリンクおよび前記ダウンリンクをそれぞれ利用するためのスループットと間隔とを割り当てることと
をさらに備える、［１］に記載の方法。
［２１］    エアリンクのリソース割振りのためのデフォルトパラメータを割り当てることによってワイヤレスワイドエリアネットワークのためのデバイスの集団をサービスするための第１のモジュールと、
デバイスの前記集団のうちの第１のデバイスからマシンツーマシン（Ｍ２Ｍ）機能を示す第１のシグナリングメッセージを受信するための第２のモジュールと、
前記Ｍ２Ｍ機能に関連する第１の使用制約を判断するための第３のモジュールと、
前記第１の使用制約に準拠する、前記第１のデバイスのための前記エアリンクのリソース割振りのための調整パラメータを割り当てるための第４のモジュールと
を備える、ワイヤレス通信のための少なくとも１つのプロセッサ。
［２２］    コンピュータに、エアリンクのリソース割振りのためのデフォルトパラメータを割り当てることによってワイヤレスワイドエリアネットワークのためのデバイスの集団をサービスさせるための第１のコードセットと、
前記コンピュータに、デバイスの前記集団のうちの第１のデバイスからマシンツーマシン（Ｍ２Ｍ）機能を示す第１のシグナリングメッセージを受信させるための第２のコードセットと、
前記コンピュータに、前記Ｍ２Ｍ機能に関連する第１の使用制約を判断させるための第３のコードセットと、
前記コンピュータに、前記第１の使用制約に準拠する、前記第１のデバイスのための前記エアリンクのリソース割振りのための調整パラメータを割り当てさせるための第４のコードセットと
を備えるコードセットを記憶する非一時的コンピュータ可読媒体
を備える、ワイヤレス通信のためのコンピュータプログラム製品。
［２３］    エアリンクのリソース割振りのためのデフォルトパラメータを割り当てることによってワイヤレスワイドエリアネットワークのためのデバイスの集団をサービスするための手段と、
デバイスの前記集団のうちの第１のデバイスからマシンツーマシン（Ｍ２Ｍ）機能を示す第１のシグナリングメッセージを受信するための手段と、
前記Ｍ２Ｍ機能に関連する第１の使用制約を判断するための手段と、
前記第１の使用制約に準拠する、前記第１のデバイスのための前記エアリンクのリソース割振りのための調整パラメータを割り当てるための手段と
を備える、ワイヤレス通信のための装置。
［２４］    エアリンクのリソース割振りのためのデフォルトパラメータを割り当てることによってワイヤレスワイドエリアネットワークのためのデバイスの集団をサービスするためのスケジューラと、
デバイスの前記集団のうちの第１のデバイスからマシンツーマシン（Ｍ２Ｍ）機能を示す第１のシグナリングメッセージを受信するためのトランシーバと、
前記Ｍ２Ｍ機能に関連する第１の使用制約を判断するためのコンピューティングプラットフォームと、を備え、
前記スケジューラがさらに、前記第１の使用制約に準拠する、前記第１のデバイスのための前記エアリンクのリソース割振りのための調整パラメータを割り当てるためのものである、
ワイヤレス通信のための装置。
［２５］    前記コンピューティングプラットフォームがさらに、コアネットワークを介してホームネットワークからの加入データにアクセスすることによって前記第１の使用制約を判断するためのものである、［２４］に記載の装置。
［２６］    前記コンピューティングプラットフォームがさらに、前記Ｍ２Ｍ機能に関連するモビリティ特性を判断することによって前記第１の使用制約を判断するためのものである、［２４］に記載の装置。
［２７］    前記コンピューティングプラットフォームがさらに、前記Ｍ２Ｍ機能に関連する電力特性を判断することによって前記第１の使用制約を判断するためのものである、［２４］に記載の装置。
［２８］    前記コンピューティングプラットフォームがさらに、前記Ｍ２Ｍ機能に関連する緊急度特性を判断することによって前記第１の使用制約を判断するためのものである、［２４］に記載の装置。
［２９］    前記コンピューティングプラットフォームがさらに、前記Ｍ２Ｍ機能に関連するデータスループット特性を判断することによって前記第１の使用制約を判断するためのものである、［２４］に記載の装置。
［３０］    前記スケジューラがさらに、前記第１の使用制約に関する周期的報告の頻度を割り当てることによって前記調整パラメータを割り当てるためのものである、［２４］に記載の装置。
［３１］    前記スケジューラがさらに、不連続受信サイクルと不連続送信サイクルとのうちの選択された１つを調整することによって、前記第１の使用制約に関する周期的報告の前記頻度を割り当てるためのものである、［３０］に記載の装置。
［３２］    前記スケジューラがさらに、不連続受信サイクルと不連続送信サイクルとを調整することによって、前記第１の使用制約に関する周期的報告の前記頻度を割り当てるためのものである、［３０］に記載の装置。
［３３］    前記コンピューティングプラットフォームがさらに、前記Ｍ２Ｍ機能に関連する一方向データスループット特性を判断することによって前記第１の使用制約を判断するためのものである、［２４］に記載の装置。
［３４］    前記トランシーバがさらに、前記第１のデバイスから第２のシグナリングメッセージを受信するためのものであり、
前記コンピューティングプラットフォームがさらに、前記第２のシグナリングメッセージに基づいて第２の使用制約を判断するためのものであり、
前記スケジューラがさらに、前記第２の使用制約に準拠する、前記第１のデバイスのための前記エアリンクのリソース割振りのための第２の調整パラメータを割り当てるためのものである、
［２４］に記載の装置。
［３５］    前記コンピューティングプラットフォームはさらに、前記第１のデバイスがＭ２Ｍ機能を中止したと判断することによって前記第２の使用制約を判断するためのものである、［３４］に記載の装置。
［３６］    前記コンピューティングプラットフォームはさらに、前記第１のデバイスがＭ２Ｍ機能を有する少なくとも第１のアプリケーションと非Ｍ２Ｍ機能を有する少なくとも第２のアプリケーションとを有すると判断することによって、前記第２の使用制約を判断するためのものである、［２４］に記載の装置。
［３７］    前記トランシーバがさらに、複数のインジケータを受信することによって、デバイスの前記集団のうちの前記第１のデバイスからＭ２Ｍ機能を示す前記第１のシグナリングメッセージを受信するためのものであり、各インジケータが、前記第１のデバイスにおいて終端するネットワークベアラに対応する複数のサービスの各々の適用性を搬送する、［２４］に記載の装置。
［３８］    前記トランシーバがさらに、複数のインジケータを受信することによって、デバイスの前記集団のうちの前記第１のデバイスからＭ２Ｍ機能を示す前記第１のシグナリングメッセージを受信するためのものであり、各インジケータが、前記第１のデバイスにおいて終端するネットワークベアラに対応するサービスのグループの適用性を搬送する、［２０］に記載の装置。
［３９］    前記トランシーバがさらに、複数のインジケータを受信することによって、デバイスの前記集団のうちの前記第１のデバイスからＭ２Ｍ機能を示す前記第１のシグナリングメッセージを受信するためのものであり、各インジケータは、前記第１のデバイスのオブジェクトがＭ２Ｍオブジェクトであると見なされるべきかどうかを示すブールフラグである、［２４］に記載の装置。
［４０］    前記オブジェクトが前記第１のデバイスに対応する、［３９］に記載の装置。
［４１］    前記オブジェクトがサービスに対応する、［３９］に記載の装置。
［４２］    前記オブジェクトがサービスのグループに対応する、［３９］に記載の装置。
［４３］    前記コンピューティングプラットフォームがさらに、モビリティと、電力制限と、前記エアリンクのアップリンクおよびダウンリンクの固定使用とのうちの１つまたは複数を備える、前記Ｍ２Ｍ機能に関連する複数の使用制約を判断するためのものであり、
前記スケジューラがさらに、前記複数の使用制約に応答して、前記第１のデバイスが前記アップリンクおよび前記ダウンリンクをそれぞれ利用するためのスループットと間隔とを割り当てるためのものである、
［２０］に記載の装置。
［４４］    エアリンクのリソース割振りのためのデフォルトパラメータを割り当てることによってワイヤレスワイドエリアネットワークのためのデバイスの集団をサービスするノードからサービスを取得することと、
マシンツーマシン（Ｍ２Ｍ）機能を示す第１のシグナリングメッセージを前記ノードに送信することと、
前記Ｍ２Ｍ機能に関連する第１の使用制約に準拠する、第１のデバイスのための前記エアリンクのリソース割振りのための調整パラメータの割当てを受信することと
を備える、ワイヤレス通信のための方法。
［４５］    エアリンクのリソース割振りのためのデフォルトパラメータを割り当てることによってワイヤレスワイドエリアネットワークのためのデバイスの集団をサービスするノードからサービスを取得するための第１のモジュールと、
マシンツーマシン（Ｍ２Ｍ）機能を示す第１のシグナリングメッセージを前記ノードに送信するための第２のモジュールと、
前記Ｍ２Ｍ機能に関連する第１の使用制約に準拠する、第１のデバイスのための前記エアリンクのリソース割振りのための調整パラメータの割当てを受信するための第３のモジュールと
を備える、ワイヤレス通信のための少なくとも１つのプロセッサ。
［４６］    コンピュータに、エアリンクのリソース割振りのためのデフォルトパラメータを割り当てることによってワイヤレスワイドエリアネットワークのためのデバイスの集団をサービスするノードからサービスを取得させるための第１のコードセットと、
前記コンピュータに、マシンツーマシン（Ｍ２Ｍ）機能を示す第１のシグナリングメッセージを前記ノードに送信させるための第２のコードセットと、
前記コンピュータに、前記Ｍ２Ｍ機能に関連する第１の使用制約に準拠する、第１のデバイスのための前記エアリンクのリソース割振りのための調整パラメータの割当てを受信させるための第３のコードセットと
を備えるコードセットを記憶する非一時的コンピュータ可読媒体
を備える、ワイヤレス通信のためのコンピュータプログラム製品。
［４７］    エアリンクのリソース割振りのためのデフォルトパラメータを割り当てることによってワイヤレスワイドエリアネットワークのためのデバイスの集団をサービスするノードからサービスを取得するための手段と、
マシンツーマシン（Ｍ２Ｍ）機能を示す第１のシグナリングメッセージを前記ノードに送信するための手段と、
前記Ｍ２Ｍ機能に関連する第１の使用制約に準拠する、第１のデバイスのための前記エアリンクのリソース割振りのための調整パラメータの割当てを受信するための手段と
を備える、ワイヤレス通信のための装置。
［４８］    エアリンクのリソース割振りのためのデフォルトパラメータを割り当てることによってワイヤレスワイドエリアネットワークのためのデバイスの集団をサービスするノードからサービスを取得するためのトランシーバと、
前記トランシーバを介して、マシンツーマシン（Ｍ２Ｍ）機能を示す第１のシグナリングメッセージを前記ノードに送信するためのコンピューティングプラットフォームと、
を備え、
前記トランシーバがさらに、前記Ｍ２Ｍ機能に関連する第１の使用制約に準拠する、第１のデバイスのための前記エアリンクのリソース割振りのための調整パラメータの割当てを受信するためのものである、
ワイヤレス通信のための装置。
［４９］    前記トランシーバがさらに、前記Ｍ２Ｍ機能に関連するモビリティ特性を示すことによって前記第１のシグナリングメッセージを送信するためのものである、［４８］に記載の装置。
［５０］    前記トランシーバがさらに、前記Ｍ２Ｍ機能に関連する電力特性を示すことによって前記第１のシグナリングメッセージを送信するためのものである、［４８］に記載の装置。
【図１】
0005529279.tif 000002
【図２】
0005529279.tif 000003
【図３】
0005529279.tif 000004
【図４】
0005529279.tif 000005
【図５】
0005529279.tif 000006
【図６】
0005529279.tif 000007
【図７】
0005529279.tif 000008
【図８】
0005529279.tif 000009
【図９】
0005529279.tif 000010
【図１０】
0005529279.tif 000011
【図１１】
0005529279.tif 000012
【図１２】
0005529279.tif 000013
【図１３】
0005529279.tif 000014
【図１４】
0005529279.tif 000015
【図１５】
0005529279.tif 000016
【図１６】
0005529279.tif 000017